(57)【要約】【課題】使用用途の拡大と低背化を図る。【解決手段】筐体１は、非常用電源４を収納する第１収納部１１と、外部電源８から給電されて動作する電気機器７を収納する第２収納部１２とを有し、第１収納部１１と第２収納部１２が開口面に沿って隣り合うように構成される。故に、常用の照明器具だけでなく、その他の電気機器７(例えば、監視カメラや火災感知器や音響装置など)を筐体１の第２収納部１２に収納できる。その結果、本実施形態の非常用照明装置は、使用用途の拡大を図ることができる。さらに、筐体１は、第１収納部１１と第２収納部１２が筐体１の開口面に沿って隣り合うように構成されるので、従来例に比べて筐体１の低背化を図ることができる。【選択図】        図１
2015118733.tif 000002
【特許請求の範囲】
【請求項１】
一面が開口する筒状の筐体と、前記筐体内に収納される非常用光源と、蓄電池を有する非常用電源と、外部電源から給電されて前記非常用電源を充電し且つ前記外部電源の停電時に前記非常用電源から給電されて前記非常用光源を点灯させる電源装置とを備え、
前記筐体は、前記非常用電源を収納する第１収納部と、前記外部電源から給電されて動作する電気機器を収納する第２収納部とを有し、前記第１収納部と前記第２収納部が前記開口面に沿って隣り合うように構成されることを特徴とする非常用照明装置。
【請求項２】
前記筐体に着脱可能に取り付けられ、前記第２収納部の開口端を閉塞する蓋体を備えることを特徴とする請求項１記載の非常用照明装置。
【請求項３】
前記電気機器は、光源と、前記外部電源から給電されて前記光源を点灯する点灯装置と、前記光源及び前記点灯装置を収容する器具本体とを備える照明器具であることを特徴とする請求項１又は２記載の非常用照明装置。
【発明の詳細な説明】
【技術分野】
【０００１】
本発明は、非常用照明装置に関する。
【背景技術】
【０００２】
従来の非常用照明装置として、特許文献１記載の照明器具を例示する。この照明器具は、天井に埋め込み設置される器具本体、ランプ装置、非常用光源、非常用ユニットなどを備える。
【０００３】
器具本体は、下面が開口した円筒形状に形成され、その内部の上方に非常用ユニットが収納されている。また、器具本体は、非常用ユニットの下側にソケットが設けられている。さらに、器具本体は、その内部の下方に非常用光源が配置されている。
【０００４】
非常用光源は発光ダイオードからなる。非常用ユニットは、バッテリ、充電回路、非常用点灯回路、電源監視回路などで構成される。充電回路は、外部電源(電力系統)から給電されてバッテリを充電するように構成される。非常用点灯回路は、バッテリから放電される直流電力で非常用光源を点灯させるように構成される。電源監視回路は、外部電源の停電を検出して非常用点灯回路を動作させるように構成される。
【０００５】
ランプ装置は、発光ダイオードからなる主光源と、主光源を点灯する主点灯回路とを備え、ソケットに着脱可能に装着される。主点灯回路は、ソケットを通じて外部電源から供給される電力で主光源を点灯させるように構成される。
【０００６】
特許文献１記載の従来例は、主光源(ランプ装置)とは別に非常用光源及び非常用ユニットを備えるため、主光源と非常用光源及び非常用ユニットとを任意に組み合わせて使用することができるという利点がある。
【先行技術文献】
【特許文献】
【０００７】
【特許文献１】特開２０１２−２０４２０９号公報
【発明の概要】
【発明が解決しようとする課題】
【０００８】
しかしながら、特許文献１記載の従来例は、常時の照明が不要である状況、例えば、常時用の照明器具が別に設置されている状況においては、ランプ装置を備えるメリットが少なく、使用用途が限定されてしまう。また、特許文献１記載の従来例は、非常用電源(バッテリ)とランプ装置が縦方向(上下方向)に重なるように器具本体内に収納されるため、器具本体の低背化が困難である。
【０００９】
本発明は、上記課題に鑑みて為されたものであり、使用用途の拡大と低背化を図ることを目的とする。
【課題を解決するための手段】
【００１０】
本発明の非常用照明装置は、一面が開口する筒状の筐体と、前記筐体内に収納される非常用光源と、蓄電池を有する非常用電源と、外部電源から給電されて前記非常用電源を充電し且つ前記外部電源の停電時に前記非常用電源から給電されて前記非常用光源を点灯させる電源装置とを備え、前記筐体は、前記非常用電源を収納する第１収納部と、前記外部電源から給電されて動作する電気機器を収納する第２収納部とを有し、前記第１収納部と前記第２収納部が前記開口面に沿って隣り合うように構成されることを特徴とする。
【００１１】
この非常用照明装置において、前記筐体に着脱可能に取り付けられ、前記第２収納部の開口端を閉塞する蓋体を備えることが好ましい。
【００１２】
この非常用照明装置において、前記電気機器は、光源と、前記外部電源から給電されて前記光源を点灯する点灯装置と、前記光源及び前記点灯装置を収容する器具本体とを備える照明器具であることが好ましい。
【発明の効果】
【００１３】
本発明の非常用照明装置は、常用の照明器具だけでなく、その他の電気機器(例えば、監視カメラや火災感知器や音響装置など)を筐体の第２収納部に収納できる。また、第１収納部と第２収納部が筐体の開口面に沿って隣り合うように構成される。そのため、本発明の非常用照明装置は、使用用途の拡大と低背化を図ることができるという効果がある。
【図面の簡単な説明】
【００１４】
【図１】本発明に係る非常用照明装置の実施形態を示す断面図である。
【図２】同上の平面図である。
【図３】同上の回路図である。
【図４】同上の電気機器(照明器具)を含む断面図である。
【図５】同上の電気機器(照明器具)を含む平面図である。
【図６】同上における電気機器(照明器具)を示す一部破断した側面図である。
【発明を実施するための形態】
【００１５】
以下、天井埋込型の非常用照明装置(非常灯)に本発明の技術思想を適用した実施形態について、図面を参照して詳細に説明する。ただし、本発明の技術思想が適用可能な非常用照明装置は天井埋込型のものに限定されない。
【００１６】
本実施形態の非常用照明装置は、図１〜図３に示すように筐体１、化粧枠２、光源ユニット３、非常用電源４、電源装置５、端子台６などを備える。
【００１７】
光源ユニット３は、例えば、白色ＬＥＤ(発光ダイオード)からなるＬＥＤ光源３０、ＬＥＤ光源３０から放射される光(照明光)の配光を制御する光学レンズ３１、ＬＥＤ光源３０及び光学レンズ３１を収納するハウジング３２などで構成される。
【００１８】
非常用電源４は、ニッケル水素電池などの蓄電池(図示せず)と、円筒形状に形成されて内部に蓄電池を収納するケース４０とを備える。
【００１９】
端子台６は、１次側の端子(図示せず)が電灯線を介して外部電源(電力系統)８と接続され、２次側の端子(図示せず)が電源線を介して電源装置５に接続される。
【００２０】
電源装置５は、充電回路５０、点灯回路５１、制御回路５２などで構成される。充電回路５０は、端子台６を介して外部電源８から給電される交流電力を直流電力に変換して非常用電源４を充電するように構成される。点灯回路５１は、非常用電源４から放電される直流電力でＬＥＤ光源３０を点灯させるように構成される。制御回路５２は、端子台６の２次側の電圧を計測してしきい値と比較することで外部電源８の停電を検出し、停電を検出しないときは充電回路５０を動作させ、停電を検出したら点灯回路５１を動作させるように構成される。
【００２１】
筐体１は、金属材料によって下面が開口した円筒形状に形成される。また、筐体１の開口端(下端)の周縁には、全周に渡って外向きに突出する円環状の外鍔(フランジ)１０が設けられている。なお、筐体１は、上下方向から見て等間隔に設けられる３つの取付金具１３によって天井材(図示せず)に固定される(図２参照)。ただし、このような取付金具１３は従来周知であるから、詳細な構造の図示並びに説明は省略する。
【００２２】
化粧枠２は、金属材料によって円板状に形成され、筐体１の開口面(下面)を塞ぐようにして着脱可能に筐体１に取り付けられる。また、化粧枠２は、大小２つの貫通孔２０，２１が設けられている。小径の貫通孔(第１貫通孔)２０には、光源ユニット３のハウジング３２が嵌め込まれる(図１参照)。一方、大径の貫通孔(第２貫通孔)２１は、後述するように筐体１内の第２収納部１２と繋がっている。また、化粧枠２の上面には、第２貫通孔２１を囲むように円筒形の周壁２２が突設されている。
【００２３】
ここで、筐体１の内部は、光源ユニット３並びに非常用電源４、電源装置５が収納される領域(以下、第１収納部１１と呼ぶ。)と、電気機器７が収納される領域(以下、第２収納部１２と呼ぶ。)とに分けられている。なお、端子台６は、筐体１の天面に取り付けられる。
【００２４】
第２収納部１２は、筐体１の内部において、化粧枠２の第２貫通孔２１と底面が繋がった円筒形状の領域(図１における２点破線で囲まれた領域)である。そして、第１収納部１１は、筐体１の内部において、第２収納部１２を除いた領域のうちで第１貫通孔２０に繋がった領域である(図２参照)。
【００２５】
電気機器７は、例えば、図６に示すような埋込型の照明器具(いわゆるダウンライト)である。この照明器具７は、器具本体７０、枠７１、反射板７２、パネル７３、ＬＥＤ光源７４、電源装置７５、補助反射板７６などで構成される。
【００２６】
器具本体７０は、アルミダイカストによって下面が開口する円筒形状に形成される。枠７１は、アルミダイカストによって円環形状に形成され、器具本体７０の開口側の端面に取り付けられる。器具本体７０の内底面にＬＥＤ光源７４が取り付けられ、ＬＥＤ光源７４の下方に反射板７２が設けられる。パネル７３は、ポリカーボネート樹脂などの透光性材料で円板状に形成され、器具本体７０内における反射板７２の下方に、ＬＥＤ光源７４と対向するように収納される。補助反射板７６は、アルミ板によって円錐台形状に形成され、器具本体７０内におけるパネル７３の下方に配置される。
【００２７】
電源装置７５は、外部電源８から供給される交流電力を直流電力に変換し、当該直流電力を供給することでＬＥＤ光源７４を点灯させるように構成される。また、電源装置７５は器具本体７０の上部に取り付けられる。
【００２８】
照明器具７は、図４及び図５に示すように、筐体１内の第２収納部１２に器具本体７０及び電源装置７５の一部が収納される。ここで、筐体１の周壁には、第２収納部１２に繋がった縦溝(図示せず)が設けられており、この縦溝を通して電源装置７５の一部が筐体１の外に突出している。なお、器具本体７０の開口は化粧枠２の第２貫通孔２１と重なっており、ＬＥＤ光源７４から放射される光が第２貫通孔２１を通して照明空間に照射される。なお、照明器具７の枠７１は、化粧枠２の下面側から器具本体７０に取り付けられる。
【００２９】
ここで、筐体１の第２収納部１２には、照明器具以外の電気機器７、例えば、監視カメラや火災感知器あるいはスピーカなどの音響装置を収納することができる。
【００３０】
すなわち、本実施形態の非常用照明装置では、常用の照明器具７を第２収納部１２に収納することにより、照明器具７の設置スペースが不要になるという利点がある。また、常用の照明器具が設置されている状況においては、監視カメラや火災感知器あるいは音響装置などの電気機器７を第２収納部１２に収納することにより、非常用照明装置の使用用途の拡大を図ることができる。さらに、監視カメラや火災感知器あるいは音響装置などの電気機器７の設置スペースが不要になるという利点もある。
【００３１】
上述のように本実施形態の非常用照明装置は、一面が開口する筒状の筐体１と、筐体１内に収納される非常用光源(光源ユニット３)と、蓄電池を有する非常用電源４とを備える。また、本実施形態の非常用照明装置は、外部電源８から給電されて非常用電源４を充電し且つ外部電源８の停電時に非常用電源４から給電されて非常用光源(光源ユニット３)を点灯させる電源装置５を備える。さらに、筐体１は、非常用電源４を収納する第１収納部１１と、外部電源８から給電されて動作する電気機器７を収納する第２収納部１２とを有し、第１収納部１１と第２収納部１２が開口面に沿って隣り合うように構成される。
【００３２】
本実施形態の非常用照明装置は上述のように構成されるので、常用の照明器具だけでなく、その他の電気機器７(例えば、監視カメラや火災感知器や音響装置など)を筐体１の第２収納部１２に収納できる。その結果、本実施形態の非常用照明装置は、使用用途の拡大を図ることができる。さらに、筐体１は、第１収納部１１と第２収納部１２が筐体１の開口面に沿って隣り合うように構成されるので、従来例に比べて筐体１の低背化を図ることができる。
【００３３】
また、電気機器７は、光源(ＬＥＤ光源７４)と、外部電源８から給電されて光源(ＬＥＤ光源７４)を点灯する点灯装置(電源装置７５)と、光源(ＬＥＤ光源７４)及び点灯装置(電源装置７５)を収容する器具本体７０とを備える照明器具であることが好ましい。
【００３４】
さらに、本実施形態の非常用照明装置は、図１に示すように筐体１に着脱可能に取り付けられ、第２収納部１２の開口端(化粧枠２の第２貫通孔２１)を閉塞する蓋体１４を備えることが好ましい。蓋体１４は、アルミダイカスト又は合成樹脂材料によって円板状に形成され、化粧枠２の第２貫通孔２１に着脱可能に嵌め込まれるように構成される。つまり、第２収納部１２に電気機器７が収納されない場合、蓋体１４で第２貫通孔２１を閉塞することにより、筐体１内への異物の進入を防ぐとともに外観上の見栄えの向上を図ることができる。
【符号の説明】
【００３５】
１  筐体
３  光源ユニット(非常用光源)
４  非常用電源
５  電源装置
７  電気機器
８  外部電源
１１  第１収納部
１２  第２収納部
【図１】
2015118733.tif 000003
【図２】
2015118733.tif 000004
【図３】
2015118733.tif 000005
【図４】
2015118733.tif 000006
【図５】
2015118733.tif 000007
【図６】
2015118733.tif 000008